(57)【特許請求の範囲】
【請求項１】
第１カウンター部と、
前記第１カウンター部の長手方向の一端側に配置される第２カウンター部と、
前記第１カウンター部及び前記第２カウンター部の奥側に配置され、該第１カウンター部及び該第２カウンター部が接着されるバックガードと、を備え、
前記第２カウンター部は、該第２カウンター部の水平面部よりも高い位置に位置し前記第１カウンター部に接着される第１カウンター接続部と、前記第１カウンター接続部と前記水平面部とをつなぐ段差部と、を備えるカウンター。
【請求項２】
前記段差部と前記水平面部とのなす角度は鈍角である請求項１に記載のカウンター。
【請求項３】
前記段差部と前記水平面部との境界部分は曲面により構成される請求項１又は２に記載のカウンター。
【請求項４】
第１カウンター部と、
前記第１カウンター部の長手方向の一端側に配置される第２カウンター部と、
前記第１カウンター部及び前記第２カウンター部の奥側に配置され、該第１カウンター部及び該第２カウンター部が接着されるバックガードと、を備え、
前記第１カウンター部及び前記第２カウンター部は、それぞれ、水平面部と、該水平面部の奥側から起立する起立部と、を備え、
前記第１カウンター部及び前記第２カウンター部は、互いに隣接する側面同士が接着され、
前記バックガードは、前記起立部の上面に接着されるカウンター。
【請求項５】
前記第１カウンター部の起立部の上面の高さは、前記第２カウンター部の起立部の上面の高さと等しい請求項４に記載のカウンター。
【請求項６】
前記バックガードの長手方向の長さは、前記第１カウンター部の長さ及び前記第２カウンター部の長さの和以上に構成される請求項１〜５のいずれかに記載のカウンター。
【発明の詳細な説明】
【技術分野】
【０００１】
本発明は、カウンターに関する。より詳細には、車いすで出入りできるトイレユニット等に設けられ、車いすに乗った状態で使用できる洗面器等が一体的に形成されたカウンターに関する。
【背景技術】
【０００２】
従来、車いすで出入りできるトイレユニットにおいて、便器の側方に箱状のライニングを設置し、このライニングの上面を、洗面器を含むカウンターにより構成したトイレユニットが提案されている（例えば、特許文献１参照）。このようなトイレユニットでは、ライニングは、トイレルームの壁面に沿う方向に長い箱状に形成されるため、このライニングの上面を構成するカウンターも長尺の部材により形成される。
【０００３】
ここで、トイレユニットの施工性を向上させる観点からは、ライニングの上面を構成するカウンターは、一体的に形成した後トイレルームに設置することが好ましい。しかしながら、カウンターの形状によっては、一体成形することが困難な場合がある。即ち、例えば、洗面器のような凹凸形状を有する部分及び平板状の部分を有する長尺のカウンターを一体成形することは困難である。そのため、このような一体成形が困難なカウンターを一体的に形成する場合には、それぞれの部分（凹凸形状を有する部分及び平板状の部分）を個別に成形した後、これらの部分を接着して一体化させる。
【先行技術文献】
【特許文献】
【０００４】
【特許文献１】特開２０１３−２４１７５４号公報
【発明の概要】
【発明が解決しようとする課題】
【０００５】
しかしながら、以上のように複数の部分を接着して形成したカウンターをライニングの上面に用いた場合、トイレユニットの使用者の体重がライニングの上面に加えられると、加えられた荷重が接着部分に集中してこの接着部分においてカウンターが破損してしまう場合があった。
【０００６】
したがって、本発明は、複数の部分が接着されて形成された場合であっても、荷重に対する強度を向上させられるカウンターを提供することを目的とする。
【課題を解決するための手段】
【０００７】
本発明は、第１カウンター部と、前記第１カウンター部の長手方向の一端側に配置される第２カウンター部と、前記第１カウンター部及び前記第２カウンター部の奥側に配置され、該第１カウンター部及び該第２カウンター部が接着されるバックガードと、を備えるカウンターに関する。
【０００８】
また、前記第２カウンター部は、水平面部に形成される洗面ボウル部と、前記水平面部よりも高い位置に位置し前記第１カウンター部に接着される第１カウンター接続部と、前記第１カウンター接続部と前記水平面部とをつなぐ段差部と、を備えることが好ましい。
【０００９】
また、前記段差部と前記水平面部とのなす角度は鈍角であることが好ましい。
【００１０】
また、前記段差部と前記水平面部との境界部分は曲面により構成されることが好ましい。
【００１１】
また、前記第１カウンター部及び前記第２カウンター部は、それぞれ、水平面部と、該水平面部の奥側から起立する起立部と、を備え、前記バックガードは、前記起立部の上面に接着されることが好ましい。
【００１２】
また、前記第１カウンター部の起立部の上面の高さは、前記第２カウンター部の起立部の上面の高さと等しいことが好ましい。
【００１３】
また、前記バックガードの長手方向の長さは、前記第１カウンター部の長さ及び前記第２カウンター部の長さの和以上に構成されることが好ましい。
【発明の効果】
【００１４】
本発明のカウンターによれば、複数の部分が接着されて形成された場合であっても、荷重に対する強度を向上させられる。
【図面の簡単な説明】
【００１５】
【図１】本発明の一実施形態に係るカウンターを備えるトイレユニットを示す斜視図である。
【図２】本発明の一実施形態に係るカウンターを含んで構成される側方ライニングを示す分解斜視図である。
【図３】第１実施形態に係るカウンターを示す分解斜視図である。
【図４】第１実施形態に係るカウンターを分解した状態で示す正面図である。
【図５】第１実施形態に係るカウンターを示す斜視図である。
【図６】本発明の変形例に係るカウンターを示す分解斜視図である。
【発明を実施するための形態】
【００１６】
以下、本発明のカウンターの好ましい各実施形態について、図面を参照しながら説明する。図１は、第１実施形態に係るカウンター１を備えるトイレユニット１００を示す斜視図である。
まず、トイレユニット１００の全体構成について説明する。本実施形態のトイレユニット１００は、車いすの乗った状態で出入りが可能なトイレルームに設置される。このトイレユニット１００は、図１に示すように、便器１１０と、汚物流しユニット１２０と、後方ライニング１３０と、側方ライニング１４０と、この側方ライニング１４０の上面に設けられる手洗ユニット１５０及び洗面ユニット１６０と、可動手すり１７０と、固定手すり１８０と、を備える。
【００１７】
便器１１０は、便器本体１１５と、この便器本体１１５の上部に便器本体１１５に対して開閉可能に取り付けられる便座１１６と、を含んで構成される。
ここで、本明細書においては、便座１１６に座った使用者から見て、前方を「前方」、後方を「後方」、左側方を「左側方」、右側方を「右側方」とする。
【００１８】
汚物流しユニット１２０は、便器１１０の右側方に配置される。汚物流しユニット１２０は、人工肛門や人工膀胱を造設した使用者が汚物を廃棄する場合等に用いられる。この汚物流しユニット１２０は、汚物及び洗浄水を受けるボウル部１２６と、このボウル部１２６の上方に配置される水栓１２７、鏡１２８及び液体せっけん収容容器１２９と、を備える。
【００１９】
後方ライニング１３０は、便器１１０及び汚物流しユニット１２０の後方に配置される。より具体的には、後方ライニング１３０は、少なくとも前面１３０ａ及び上面１３０ｂを有する箱状に構成され、平面視における長辺がトイレルームの後方壁面１０１に沿うように、かつ、短辺がトイレルームの側方壁面１０２に沿うように配置される。そして、この後方ライニング１３０の前面１３０ａに、便器１１０及び汚物流しユニット１２０が取り付けられる。また、後方ライニング１３０の前面１３０ａにおける便器１１０の上方には、背もたれ１３１が取り付けられる。
【００２０】
後方ライニング１３０は、骨格を構成するフレーム部（図示せず）と、このフレーム部に取り付けられフレーム部を覆う複数の板状部材と、含んで構成される。また、後方ライニング１３０の内部には、便器１１０及び汚物流しユニット１２０に水を供給する給水部や、汚物流しユニット１２０に供給される水を加温する電気温水器等（いずれも図示せず）が配置される。
【００２１】
側方ライニング１４０は、便器１１０の左側方に配置される。より具体的には、側方ライニング１４０は、箱状に構成され、長辺がトイレルームの側方壁面１０２に沿うように、かつ、短辺が後方ライニング１３０の前面１３０ａの前側に位置するように配置される。
【００２２】
側方ライニング１４０は、図１及び図２に示すように、この側方ライニング１４０の骨格を構成するフレーム部１４１と、側方ライニング１４０の前面１４０ａを構成する複数の前板１４２と、側方ライニング１４０の側面を構成する側板１４３と、巾木１４４と、ダストボックス１４５（図１参照）と、側方ライニング１４０の上面を構成するカウンター１と、を含んで構成される。
【００２３】
フレーム部１４１は、図２に示すように、後述のカウンター１の手洗側カウンター部１１を支持する手洗側フレーム部１４１ａと、後述の洗面側カウンター部１２を支持する洗面側フレーム部１４１ｂと、を備える。手洗側フレーム部１４１ａ及び洗面側フレーム部１４１ｂは、それぞれ、鉛直方向に沿って配置される複数の縦フレーム１４６と、水平方向に沿って配置される複数の横フレーム１４７と、が溶接等により所定の箇所で接合されて構成される。
【００２４】
本実施形態では、図２に示すように、洗面側フレーム部１４１ｂの上端部の位置は、手洗側フレーム部１４１ａの上端部よりも低い位置に配置される。また、洗面側フレーム部１４１ｂの下端部は、トイレルームの床面１０３に接しておらず、床面１０３から所定の高さ（例えば、３０ｃｍ）上方に位置している。
【００２５】
複数の前板１４２は、固定金具やねじ（図示せず）を介してフレーム部１４１に固定され、側方ライニング１４０の前面１４０ａを構成する。本実施形態では、前板１４２は、手洗側フレーム部１４１ａに固定される４枚の前板（中央上部前板１４２ａ、中央下部前板１４２ｂ、第１側部前板１４２ｃ及び第２側部前板１４２ｄ）と、洗面側フレーム部１４１ｂに固定される洗面前板１４２ｅと、により構成される。
【００２６】
中央上部前板１４２ａには、開口部１４８，１４９が形成され、これら開口部１４８，１４９には、トイレユニット１００を操作するための操作部１０４，１０５が取り付けられる。また、図１に示すように、中央上部前板１４２ａ及び中央下部前板１４２ｂは、これら中央上部前板１４２ａ及び中央下部前板１４２ｂの間に所定の幅の隙間が形成されるように手洗側フレーム部１４１ａに固定される。また、中央上部前板１４２ａには、紙巻器１０６が取り付けられる。
【００２７】
側板１４３は、前板１４２と同様に固定金具やねじを介してフレーム部１４１に固定され、側方ライニング１４０の側面を構成する。本実施形態では、側板１４３は、手洗側フレーム部１４１ａに固定される手洗側側板１４３ａと、洗面側フレーム部１４１ｂに固定される洗面側側板１４３ｂと、により構成される。
【００２８】
巾木１４４は、帯板状の部材により構成され、フレーム部１４１の下部に、床面１０３に沿うように取り付けられる。本実施形態では、巾木１４４は、手洗側フレーム部１４１ａの下部に配置され、前板１４２（第１側部前板１４２ｃ、中央下部前板１４２ｂ及び第２側部前板１４２ｄ）及び手洗側側板１４３ａと、床面１０３との間の隙間を覆う。
【００２９】
ダストボックス１４５は、フレーム部１４１の内部に配置される。本実施形態では、ダストボックス１４５は、上面が開放されたかご状に形成され、手洗側フレーム部１４１ａの中央部（中央下部前板１４２ｂの背面側）に配置される。上述のように、中央上部前板１４２ａと中央下部前板１４２ｂとの間には、隙間が形成されているため、トイレユニット１００の使用者は、この隙間からダストボックス１４５にゴミを投入できる。
【００３０】
カウンター１は、フレーム部１４１の上部に配置され、ねじ等によりこのフレーム部１４１に固定される。カウンター１は、フレーム部１４１の長手方向ＬＤ（トイレルームの前後方向に沿う方向）の長さと略同じ長さに構成され、フレーム部１４１の上面の全面を覆う。
カウンター１は、図２及び図３に示すように、第１カウンター部としての手洗側カウンター部１１と、第２カウンター部としての洗面側カウンター部１２と、バックガード１３と、を備える。
【００３１】
手洗側カウンター部１１は、手洗側フレーム部１４１ａの上部に配置される。この手洗側カウンター部１１は、手洗側水平面部（水平面部）１１１と、手洗ボウル部１１２と、手洗側起立部（起立部）１１３と、を備える。
手洗側水平面部１１１は、手洗側カウンター部１１における板状部分を構成する。
【００３２】
手洗ボウル部１１２は、手洗側水平面部１１１の一部が凹んで形成される。手洗ボウル部１１２は、手洗側フレーム部１４１ａにおける後方ライニング１３０寄りの位置に配置される。即ち、手洗ボウル部１１２は、便座１１６に座った状態の使用者の手が容易に届く位置に配置される。
手洗ボウル部１１２の底面には、手洗ボウル部１１２に吐出された水を排出する排水開口１１２ａが形成される。また、手洗側水平面部１１１における手洗ボウル部１１２の近傍には、水栓取付開口１１１ａが形成される。
【００３３】
手洗ボウル部１１２は、図１に示すように、水栓取付開口１１１ａに取り付けられた手洗側水栓１５１及び排水開口１１２ａに接続された排水管（図示せず）と共に手洗ユニット１５０を構成する。
【００３４】
手洗側起立部１１３は、手洗側カウンター部１１の奥行方向ＷＤの奥側の側縁に沿って配置され、手洗側水平面部１１１から起立する。手洗側起立部１１３は、手洗側水平面部１１１に対して垂直方向上方に延びる。手洗側起立部１１３の上面は、手洗側水平面部１１１と平行な水平面に構成される。
【００３５】
洗面側カウンター部１２は、手洗側カウンター部１１の長手方向ＬＤの一端側（手洗ボウル部１１２が配置された側と反対側）に配置され、洗面側フレーム部１４１ｂの上部に配置される。この洗面側カウンター部１２は、洗面側水平面部（水平面部）１２１と、洗面ボウル部１２２と、第１カウンター接続部１２３と、段差部１２４と、洗面側起立部（起立部）１２５と、を備える。
【００３６】
洗面側水平面部１２１は、洗面側カウンター部１２における板状部分を構成する。洗面側水平面部１２１の奥行方向ＷＤの長さは、手洗側水平面部１１１の奥行方向ＷＤの長さよりも長く構成される。
【００３７】
洗面ボウル部１２２は、洗面側水平面部１２１の一部が凹んで形成される。洗面ボウル部１２２の底面には、洗面ボウル部１２２に吐出された水を排出する排水開口１２２ａが形成される。また、洗面側水平面部１２１における洗面ボウル部１２２の近傍には、水栓取付開口１２１ａ及び容器取付開口１２１ｂが形成される。
洗面ボウル部１２２は、図１に示すように、水栓取付開口１２１ａに取り付けられた洗面側水栓１６１、容器取付開口１２１ｂに取り付けられた液体せっけん収容容器１６２、及び排水開口１２２ａに接続された排水管（図示せず）と共に、洗面ユニット１６０を構成する。
【００３８】
第１カウンター接続部１２３は、洗面側カウンター部１２における手洗側カウンター部１１側の端部に配置される。第１カウンター接続部１２３は、洗面側水平面部１２１の一部が上方に突出した形状に形成される。第１カウンター接続部１２３の上面の位置は、洗面側水平面部１２１の上面の位置よりも高い位置に配置される。第１カウンター接続部１２３の上面は水平面に形成され、また、第１カウンター接続部１２３の上面の奥行方向ＷＤの長さは、手洗側水平面部１１１の奥行方向ＷＤの長さと同じ長さに形成される。
【００３９】
段差部１２４は、第１カウンター接続部１２３と洗面側水平面部１２１との間に形成され、これら第１カウンター接続部１２３と洗面側水平面部１２１とをつなぐ。本実施形態では、段差部１２４と洗面側水平面部１２１とのなす角度θは鈍角（例えば、１１５°）に構成される。
【００４０】
洗面側起立部１２５は、洗面側カウンター部１２の奥行方向ＷＤの奥側の側縁に沿って配置され、洗面側水平面部１２１及び第１カウンター接続部１２３から起立する。洗面側起立部１２５は、洗面側水平面部１２１に対して垂直方向上方に延びる。洗面側起立部１２５の上面は、洗面側水平面部１２１と平行な水平面に構成される。洗面側起立部１２５の高さは、第１カウンター接続部１２３の上面の位置と手洗側水平面部１１１の上面の位置とを一致させた場合に、洗面側起立部１２５の上面の位置と手洗側起立部１１３の上面の位置とが一致する高さに構成される。
【００４１】
バックガード１３は、長尺の板状に形成され、手洗側カウンター部１１及び洗面側カウンター部１２の奥行方向ＷＤの奥側の側縁に沿って配置される。バックガード１３の長手方向ＬＤの長さは、手洗側カウンター部１１の長さと洗面側カウンター部１２の長さの和に等しく構成される。
【００４２】
本実施形態では、カウンター１は、金型等を用いてそれぞれ一体成形された手洗側カウンター部１１、洗面側カウンター部１２及びバックガード１３を接着剤により接着することで一体化される。より具体的には、まず、手洗側水平面部１１１の上面の位置と第１カウンター接続部１２３の上面の位置とを一致させた状態で、手洗側カウンター部１１の長手方向の一端側の側面と第１カウンター接続部１２３の側面とを接着する。これにより、手洗側水平面部１１１の上面と第１カウンター接続部１２３の上面とが面一になり、かつ、手洗側起立部１１３の上面と洗面側起立部１２５の上面とが面一になった状態で手洗側カウンター部１１と洗面側カウンター部１２とが接着される。
【００４３】
次いで、面一になった手洗側起立部１１３の上面及び洗面側起立部１２５の上面に、バックガード１３が接着される。これにより、手洗側カウンター部１１、洗面側カウンター部１２及びバックガード１３が一体化されたカウンター１が製造される。また、以上のカウンター１によれば、手洗側カウンター部１１の高さと洗面側カウンター部１２の高さとを異ならせられるので、手洗ユニット１５０の高さを便座１１６に座った状態の使用者が使いやすい高さとし、かつ、洗面ユニット１６０の高さを車いすの乗った状態の使用者が使いやすい高さとしたカウンター１が製造される。
【００４４】
可動手すり１７０は、図１に示すように、便器１１０の右側方における便器１１０と汚物流しユニット１２０との間に配置される。可動手すり１７０は、後方ライニング１３０の前面１３０ａに、この前面１３０ａとの接続部分を支点として回動可能に固定される。より具体的には、可動手すり１７０は、手すりが略水平方向に延びた使用位置（図１参照）と、手すりが鉛直方向に延びた収納位置（図示せず）との間で可動可能に構成される。
【００４５】
固定手すり１８０は、便器１１０の左側方に配置される。本実施形態では、固定手すり１８０は、一端部が側方ライニング１４０の前板（第１側部前板１４２ｃ）に固定され、側方ライニング１４０の前面１４０ａに沿って水平方向に延びた後、略垂直に屈曲して上方に延び、他端部が側方壁面１０２に固定される。また、固定手すり１８０の他端側は、前板（第２側部前板１４２ｄ）にも固定される。
【００４６】
以上説明したトイレユニット１００によれば、カウンター１を、手洗側カウンター部１１と、洗面側カウンター部１２と、これら手洗側カウンター部１１及び洗面側カウンター部１２の奥側に配置され、手洗側カウンター部１１及び洗面側カウンター部１２が接着されるバックガード１３と、を含んで構成した。これにより、手洗側カウンター部１１及び洗面側カウンター部１２それぞれを、カウンター１の長手方向ＬＤに長くバックガード１３と接着させられる。よって、カウンター１の上面に荷重が加えられた場合であっても、接着部分にかかる力を分散させられる。また、接着部分を手洗側カウンター部１１及び洗面側カウンター部１２それぞれの奥側に位置させられるので、荷重が加えられた部分と接着部分との間の距離を短くできる。その結果、複数の部分を接着して長尺のカウンター１を構成した場合であっても、荷重に対する強度を向上させられる。
【００４７】
また、洗面側カウンター部１２を、洗面側水平面部１２１に形成される洗面ボウル部１２２と、洗面側水平面部１２１よりも高い位置に位置し手洗側カウンター部１１に接続される第１カウンター接続部１２３と、これら第１カウンター接続部１２３と洗面側水平面部１２１とをつなぐ段差部１２４と、を含んで構成した。これにより、段差部１２４や洗面ボウル部１２２のような凹凸部分を有する長尺のカウンター１を、容易かつ精度よく製造できる。また、上述のように荷重に対する強度を向上させられるので、例えば、トイレユニット１００の使用者の体重が洗面ユニット１６０近傍にかかった場合であっても損傷しにくいカウンター１を製造できる。
【００４８】
また、段差部１２４と洗面側水平面部１２１とのなす角度を鈍角に構成した。これにより、段差部１２４と洗面側水平面部１２１との境界部分における清掃性を高められる。
【００４９】
また、手洗側カウンター部１１及び洗面側カウンター部１２を、それぞれ、水平面部（手洗側水平面部１１１及び洗面側水平面部１２１）と起立部（手洗側起立部１１３及び洗面側起立部１２５）と、を含んで構成し、バックガード１３をこれら手洗側起立部１１３及び洗面側起立部１２５の上面に接着した。これにより、手洗側起立部１１３と洗面側起立部１２５との位置を合わせた後バックガード１３を起立部に接着することで、容易かつ精度よくカウンター１を製造できる。
【００５０】
また、手洗側カウンター部１１の上面の位置と洗面側カウンター部１２の上面の位置とを一致させた場合における手洗側起立部１１３の上面の位置と洗面側起立部１２５の上面の位置とを等しく構成した。これにより、手洗側カウンター部１１、洗面側カウンター部１２及びバックガード１３の位置合わせをより容易に行える。
【００５１】
また、バックガード１３の長手方向の長さを、手洗側カウンター部１１の長手方向ＬＤ長さと洗面側カウンター部１２の長手方向ＬＤの長さとの和と等しく構成した。これにより、手洗側カウンター部１１とバックガード１３との接着部分及び洗面側カウンター部１２とバックガード１３との接着部分を、カウンター１の長手方向ＬＤに長く確保できる。よって、荷重に対する強度をより向上させられる。
【００５２】
以上、本発明のカウンターの好ましい各実施形態について説明したが、本発明は、上述した実施形態に制限されるものではなく、適宜変更が可能である。
例えば、第１実施形態では、カウンター１を、第１カウンター部（手洗側カウンター部）１１に手洗ボウル部１１２を形成し、第２カウンター部（洗面側カウンター部）１２に洗面ボウル部１２２を形成して構成したが、これに限らない。即ち、第１カウンター部又は第２カウンター部の一方のみにボウル部を形成してカウンターを構成してもよく、また、第１カウンター部及び第２カウンター部を、共にボウル部を含まずに構成してもよい。
【００５３】
また、第１実施形態では、洗面側カウンター部１２を、段差部１２４を含んで構成したが、これに限らない。即ち、洗面側カウンター部を、段差部を含まずに構成してもよい。
【００５４】
また、第１実施形態では、手洗側カウンター部１１及び洗面側カウンター部１２を、それぞれ、手洗側起立部１１３及び洗面側起立部１２５を含んで構成し、これら手洗側起立部１１３及び洗面側起立部１２５の上面にバックガード１３を接着したが、これに限らない。即ち、図６に示すように、手洗側カウンター部１１Ａを、手洗側起立部を含まずに構成すると共に、第１カウンター接続部１２３Ａ及び洗面側起立部１２５Ａの高さを、第１カウンター接続部１２３Ａの上面及び洗面側起立部１２５Ａの上面と手洗側水平面部１１１Ａの上面とが一致する高さとしてもよい。そして、バックガード１３Ａを、手洗側水平面部１１１Ａの上面及び洗面側起立部１２１Ａの上面に接着してカウンター１Ａを構成してもよい。
【００５５】
また、第１実施形態では、段差部１２４と洗面側水平面部１２１との境界部分を鈍角となるように構成したが、これに限らない。即ち、段差部と洗面側水平面部との境界部分を曲面により構成してもよい。境界部分を曲面に構成することによっても、段差部と洗面側水平面部との境界部分における清掃性を高められる。
【符号の説明】
【００５６】
１  カウンター
１１  手洗側カウンター部（第１カウンター部）
１２  洗面側カウンター部（第２カウンター部）
１３  バックガード
１１１  手洗側水平面部（水平面部）
１１３  手洗側起立部（起立部）
１２１  洗面側水平面部（水平面部）
１２２  洗面ボウル部
１２３  第１カウンター接続部
１２４  段差部
１２５  洗面側起立部（起立部）
【図１】
0006325404.tif 000002
【図２】
0006325404.tif 000003
【図３】
0006325404.tif 000004
【図４】
0006325404.tif 000005
【図５】
0006325404.tif 000006
【図６】
0006325404.tif 000007